(57)【特許請求の範囲】
【請求項１】
コンテンツ情報を生成するステップと、
前記コンテンツ情報を用いて表示制御情報を生成するステップと、
前記コンテンツ情報及び前記表示制御情報をユーザ端末に送信するステップとを含み、
前記表示制御情報は、前記コンテンツ情報の一部を広告情報に切り替えて前記ユーザ端末の表示部の一部に表示し、切り替え部分が前記表示部の他の一部に移動される場合、前記切り替え部分を切り替え前のコンテンツ情報に戻して表示すること
を特徴とする広告が表示されるコンテンツ提供方法。
【請求項２】
前記表示部の他の一部は前記表示部の上部の所定領域であること
を特徴とする、請求項１に記載の広告が表示されるコンテンツ提供方法。
【請求項３】
前記切り替えは、コンテンツ情報に含まれた一部の単語、イメージ及びバナーのうち少なくとも何れか1つを、広告情報に含まれた単語、イメージ及びバナーのうち少なくとも何れか1つに切り替える動作であること、
を特徴とする、請求項１に記載の広告が表示されるコンテンツ提供方法。
【請求項４】
ユーザ端末が前記切り替え部分へのクリックまたはタッチ信号を感知する場合、前記切り替え部分に相応する詳細の広告情報を前記表示部に表示するように表示制御情報を生成すること、
を特徴とする、請求項１に記載の広告が表示されるコンテンツ提供方法。
【請求項５】
コンテンツ情報を生成するコンテンツ情報生成部と、
前記コンテンツ情報を用いて表示制御情報を生成する表示制御情報生成部と、
前記コンテンツ情報及び前記表示制御情報をユーザ端末に送信する通信部とを含み、
前記表示制御情報は、前記コンテンツ情報の一部を広告情報に切り替えて前記ユーザ端末の表示部の一部に表示し、切り替え部分が前記表示部の他の一部に移動される場合、前記切り替え部分を切り替え前のコンテンツ情報に戻して表示すること、
を特徴とする、広告が表示されるコンテンツ提供サーバ。
【請求項６】
前記表示部の他の一部は前記表示部の上部の所定領域であること、
を特徴とする、請求項５に記載の広告が表示されるコンテンツ提供サーバ。
【請求項７】
前記切り替えはコンテンツ情報に含まれた一部の単語、イメージ及びバナーのうち少なくとも何れか1つを、広告情報に含まれた単語、イメージ及びバナーのうち少なくとも何れか1つに切り替える動作であること、
を特徴とする、請求項５に記載の広告が表示されるコンテンツ提供サーバ。
【請求項８】
前記表示制御情報生成部は、前記ユーザ端末が前記切り替え部分へのクリックまたはタッチ信号を感知する場合、前記切り替え部分に相応する詳細の広告情報を前記表示部に表示するように表示制御情報を生成すること、
を特徴とする、請求項５に記載の広告が表示されるコンテンツ提供サーバ。
【請求項９】
広告情報を受信するステップと、
受信または保有しているコンテンツ情報を表示部に表示し、前記コンテンツ情報の一部を前記広告情報に切り替えて前記表示部の一部に表示するステップと、
前記切り替え部分が前記表示部の他の一部に移動して表示される場合、前記切り替え部分を切り替え前のコンテンツ情報に戻して表示するステップと、を含むこと、
を特徴とする、コンテンツ内の広告表示方法がプログラムとして記録された、電子装置にて読み取り可能な記録媒体。
【請求項１０】
前記表示部の他の一部は、前記表示部の上部の所定領域であること、
を特徴とする、請求項９に記載のコンテンツ内の広告表示方法がプログラムとして記録された、電子装置にて読み取り可能な記録媒体。
【請求項１１】
前記切り替えは、コンテンツ情報に含まれた一部の単語、イメージ及びバナーのうち少なくとも何れか1つを、広告情報に含まれた単語、イメージ及びバナーのうち少なくとも何れか1つに切り替えること、
を特徴とする、請求項９に記載のコンテンツ内の広告表示方法がプログラムとして記録された、電子装置にて読み取り可能な記録媒体。
【請求項１２】
前記コンテンツ内の広告表示方法は、
前記切り替え部分へのクリックまたはタッチ信号を感知するステップと、
前記切り替え部分に相応する詳細の広告情報を前記表示部に表示するステップとを更に含むこと、
を特徴とする、請求項９に記載のコンテンツ内の広告表示方法がプログラムとして記録された、電子装置にて読み取り可能な記録媒体。
【発明の詳細な説明】
【技術分野】
【０００１】
本発明は、広告が表示されるコンテンツ提供サーバ、その方法及びコンテンツ内の広告表示方法がプログラムとして記録された電子装置にて読み取り可能な記録媒体に関するものである。
【背景技術】
【０００２】
現在、インターネット広告は大きく分けて３種類が挙げられる。キーワード広告、ディスプレイ広告及びネイティブ広告である。
【０００３】
キーワード広告（Ｋｅｙｗｏｒｄ ａｄｖｅｒｔｉｓｉｎｇ）とは、インターネット検索サイトで特定のキーワードを入力して検索を行う人に向けて広告主のサイトを露出する広告技法である。キーワード広告の短所は、主要キーワードの先占競争、キーワード露出頻度による費用負担、キーワード発掘の困難などが挙げられる。
【０００４】
ディスプレイ広告はバナー広告と呼ばれ、ウェブページの所定の空間を占める方式で広告が表示される。ディスプレイ広告は、広告主に便宜性を提供する側面があるものの、ウェブページの所定の空間を割り当てるべきであるため、特にモバイル環境ではユーザに不便をかける原因となり得る。
【０００５】
ネイティブ広告（ｎａｔｉｖｅ ａｄ）とは、フラットフォームの核心コンテンツを広告として溶け込ませるものである。ネイティブ広告は、コンテンツ内に広告を差し入れる形式でなく、広告そのものがコンテンツとなるため、多数の需要者への露出が困難であるという問題がある。
【０００６】
上述の通り、従来のインターネット広告の方式は、露出し難いか、コンテンツと不釣り合いな問題があった。
インターネット広告に関する先行特許として韓国特許公開第１０−２０１５−００３５１００号が挙げられる。該技術は、スクロール反応式の広告バナー提供方法に関するもので、スクロール方向に応じて広告バナーの表示を異ならせることを特徴とする。
【発明の概要】
【発明の詳細な説明】
【０００７】
【技術的課題】
【０００８】
本発明は、ユーザに親和的で且つ多様な形態で広告を露出し得る広告表示方法を提供することをその目的とする。
【技術的な解決方法】
【０００９】
コンテンツ情報を生成するステップと、前記コンテンツ情報を用いて表示制御情報を生成するステップと、前記コンテンツ情報及び前記表示制御情報をユーザ端末に送信するステップとを含み、前記表示制御情報は、前記コンテンツ情報の一部を広告情報に切り替えて、前記ユーザ端末の表示部の一部に表示し、切り替え部分が前記表示部の他の一部に移動される場合、前記切り替え部分を切り替え前のコンテンツ情報に戻して表示することを特徴とする広告が表示されるコンテンツ提供方法を提供し得る。
【００１０】
好ましくは、前記表示部の他の一部は、前記表示部の上部の所定領域であることを特徴とする広告が表示されるコンテンツ提供方法を提供し得る。
【００１１】
好ましくは、前記切り替えは、コンテンツ情報に含まれた一部の単語、イメージ及びバナーのうち少なくとも何れか1つを、広告情報に含まれた単語、イメージ及びバナーのうち少なくとも何れか1つに切り替える動作であることを特徴とする広告が表示されるコンテンツ提供方法を提供し得る。
【００１２】
好ましくは、ユーザ端末が前記切り替え部分へのクリックまたはタッチ信号を感知する場合、前記切り替え部分に相応する詳細の広告情報を前記表示部に表示するように表示制御情報を生成することを特徴とする広告が表示されるコンテンツ提供方法を提供し得る。
【００１３】
また、コンテンツ情報を生成するコンテンツ情報生成部と、前記コンテンツ情報を用いて表示制御情報を生成する表示制御情報生成部と、前記コンテンツ情報及び前記表示制御情報をユーザ端末に送信する通信部とを含み、前記表示制御情報は、前記コンテンツ情報の一部を広告情報に切り替えて、前記ユーザ端末の表示部の一部に表示し、切り替え部分が前記表示部の他の一部に移動される場合、前記切り替え部分を切り替え前のコンテンツ情報に戻して表示することを特徴とする広告が表示されるコンテンツ提供サーバを提供し得る。
【００１４】
好ましくは、前記表示部の他の一部は、前記表示部の上部の所定領域であることを特徴とする広告が表示されるコンテンツ提供サーバを提供し得る。
【００１５】
好ましくは、前記切り替えは、コンテンツ情報に含まれた一部の単語、イメージ及びバナーのうち何れか1つを、広告情報に含まれた単語、イメージ及びバナーのうち少なくとも何れか1つに切り替える動作であることを特徴とする広告が表示されるコンテンツ提供サーバを提供し得る。
【００１６】
好ましくは、前記表示制御情報生成部は、前記ユーザ端末が前記切り替え部分へのクリックまたはタッチ信号を感知する場合、前記切り替え部分に相応する詳細の広告情報を前記表示部に表示するように表示制御情報を生成することを特徴とする広告が表示されるコンテンツ提供サーバを提供し得る。
【００１７】
また、広告情報を受信するステップと、受信または保有しているコンテンツ情報を表示部に表示し、前記コンテンツ情報の一部を前記広告情報に切り替えて前記表示部の一部に表示するステップと、前記切り替え部分が前記表示部の他の一部に移動して表示される場合、前記切り替え部分を切り替え前のコンテンツ情報に戻して表示するステップとを含むことを特徴とするコンテンツ内の広告表示方法がプログラムとして記録された電子装置にて読み取り可能な記録媒体を提供し得る。
【００１８】
好ましくは、前記表示部の他の一部は前記表示部の上部の所定領域であることを特徴とするコンテンツ内の広告表示方法がプログラムとして記録された電子装置にて読み取り可能な記録媒体を提供し得る。
【００１９】
好ましくは、前記切り替えは、コンテンツ情報に含まれた一部の単語、イメージ及びバナーのうち少なくとも何れか1つを、広告情報に含まれた単語、イメージ及びバナーのうち少なくとも何れか1つに切り替えることを特徴とするコンテンツ内の広告表示方法がプログラムとして記録された電子装置にて読み取り可能な記録媒体を提供し得る。
【００２０】
好ましくは、前記コンテンツ内の広告表示方法は、前記切り替え部分へのクリックまたはタッチ信号を感知するステップと、前記切り替え部分に相応する詳細の広告情報を前記表示部に表示するステップとを更に含むことを特徴とするコンテンツ内の広告表示方法がプログラムとして記録された電子装置にて読み取り可能な記録媒体を提供し得る。
【発明の効果】
【００２１】
本発明は、広告がコンテンツの表示に与える影響を最小化し、ユーザに親和的で且つ多様な形態で広告を露出し得るという効果を奏する。
【図面の簡単な説明】
【００２２】
【図１】本発明の一実施例による広告が表示されるコンテンツ提供サーバを示した図である。
【図２】本発明の一実施例によるユーザ端末の表示部に広告が表示される実際の形態を示した図である。
【図３】本発明の一実施例によるユーザ端末の表示部に広告が表示される実際の形態を示した図である。
【図４】本発明の一実施例によるユーザ端末の表示部に広告が表示される実際の形態を示した図である。
【図５】本発明の一実施例による広告が表示されるコンテンツ提供方法を示した流れ図である。
【図６】本発明の一実施例によるユーザ端末を示した図である。
【図７】本発明の一実施例によるコンテンツ内の広告表示方法を示した流れ図である。
【発明を実施するための形態】
【００２３】
本発明は、多様な変換が可能であり、色々な実施例を有するところ、特定の実施例を図面に例示し、詳細な説明で詳細に説明する。しかし、これは、本発明を特定の実施形態に限定しようとするものではなく、本発明の思想及び技術範囲に含まれる全ての変換、均等物ないし代替物を含むと理解されねばならない。
本発明を説明するにあたって、関連した公知技術についての具体的な説明が、本発明の要旨を不明確にすると判断される場合、その詳細な説明を省略する。
【００２４】
以下、本発明の実施例を添付の図面を参照して詳細に説明する。本発明を説明するにあたり、全体的な理解を容易にするために、図面番号に関係なく同じ手段については同じ参照番号を使用する。
【００２５】
図１は本発明の一実施例による広告が表示されるコンテンツ提供サーバを示した図である。
【００２６】
図１を参照すれば、本発明の一実施例による広告が表示されるコンテンツ提供サーバ１００は、コンテンツ情報生成部１１０、表示制御情報生成部１２０及び通信部１３０を含む。
【００２７】
コンテンツ情報生成部１１０は、ユーザに提供するコンテンツ情報を生成する。コンテンツ情報は、テキスト、イメージ、動画などで表示されるニュース、ショッピング情報、文化情報などあり、ユーザ端末２００の表示部２３０を通じて表示される。
【００２８】
生成されたコンテンツ情報は、パソコンやモバイルでブラウザを通じて読み取り可能なＨＴＭＬ（Ｈｙｐｅｒ Ｔｅｘｔ Ｍａｒｋｕｐ Ｌａｎｇｕａｇｅ）内に差し入れられる。
【００２９】
表示制御情報生成部１２０は、コンテンツ情報を用いて表示制御情報を生成する。
【００３０】
表示制御情報は、ユーザ端末に伝送されるＨＴＭＬファイル内のタグ（Ｔａｇ）形態で差し入れられる。
【００３１】
広告情報は、ユーザ端末が広告サーバ３００に広告を要請して受信し得る。かかる場合、表示制御情報は、ユーザ端末にて広告を要請し受信するようにする情報を更に含み得る。
【００３２】
広告情報は、コンテンツ提供サーバ１００が広告サーバ３００から広告情報を受信してユーザ端末に送信するか、広告サーバ３００がコンテンツ提供サーバ１００からコンテンツ情報を受信するかまたは自体的にコンテンツ情報を生成して広告情報と一緒にユーザ端末に送信し得る。広告情報は、このように多様な経路でユーザ端末に提供され得る。
【００３３】
表示制御情報は、コンテンツ情報の一部を広告情報に切り替えて前記ユーザ端末２００の表示部２３０の一部に表示し、切り替え部分が前記表示部２３０の他の一部に移動される場合、前記切り替え部分を切り替え前のコンテンツ情報に戻して表示する。
【００３４】
これについてユーザ端末２００を主体として説明すれば、ユーザ端末２００はパソコンやモバイルであってもよく、ブラウザなどのプログラムを通じて表示制御情報及びコンテンツ情報が含まれたＨＴＭＬファイルを読み取る。これにより、ユーザ端末２００の表示部２３０には、コンテンツ情報がウェブページの形態で表示される。このとき、広告情報も一緒に表示されるが、コンテンツ情報の一部が広告情報に切り替えられて表示される。
【００３５】
例えば、コンテンツ情報内の特定の単語が広告情報内の広告キーワードに切り替えられ得る。単語の切り替えは、特定の単語を広告キーワードに切り替えたり、段落毎にランダムに単語を選択して広告キーワードに切り替えたり、所定の個数の単語毎に広告キーワードに切り替えたりするなど（例えば、５０単語毎に１つずつ切り替える）多様な形態でなされ得る。また、１つの単語が１つの広告キーワードに切り替えられる一対一の切り替えだけでなく、複数の単語が複数の広告キーワードに切り替えられ得る。これを更に応用すると、コンテンツ情報に含まれた文章を広告キーワードに切り替えてストーリーテリング（ｓｔｏｒｙ ｔｅｌｌｉｎｇ）式の広告も可能である。
【００３６】
切り替えられるコンテンツ情報は単語だけでなく、イメージ、動画などであってもよい。
【００３７】
コンテンツ情報の一部は広告情報に切り替えられてユーザ端末２００の表示部２３０の一部にのみ表示される。例えば、表示部２３０を両分して上部領域及び下部領域を定義すると、上部領域にはコンテンツ情報のみが表示され、下部領域には元のコンテンツ情報及び広告情報に切り替えられた部分が表示される。切り替えられて表示される領域は多様なサイズに定義され得る。上部領域にはコンテンツ情報のみが表示されることが好ましい。というのは、ユーザの視線が主に上部領域に留まるためである。
【００３８】
下部領域における切り替え部分は、ユーザのスクロール動作に従って上部領域に移動され得る。この場合、上部領域では切り替え部分が再び切り替え前のコンテンツ情報に戻され表示されるように制御される。上部領域で上記戻し動作を行う理由もユーザの視線が主に上部領域に留まるためである。つまり、本発明の動作によれば、ユーザが主視野で当初見ようとした情報を読み取れるようにし、補助視野で広告情報を読み取れるようにする一方、広告情報が主視野内に入る場合、コンテンツ情報として戻すことで広告情報がコンテンツ内に差し込まれることによる不便を解消し得る。また、特定の単語のみが広告キーワードに代替される場合、ユーザは周辺視野または主視野で広告キーワードが含まれた文章を認識し得るため、興味を誘発してコンテンツに対する関心を誘導することによって、広告の効果を極大化し得る。
【００３９】
ユーザ端末２００のスクロール動作によってウェブページの表示がウェブページの最下端に至ったときには、上部領域及び下部領域の両方とも広告情報を除いたコンテンツ情報のみを表示することが好ましい。このように表示しない場合、ウェブページの最下端は上部領域に表示されず、切り替え前のコンテンツ情報を表示し得ないためである。
【００４０】
表示制御情報生成部１２０は、ユーザ端末２００が切り替え部分へのクリックまたはタッチ信号を感知する場合、切り替え部分に相応する詳細の広告情報を前記表示部２３０に表示するように表示制御情報を生成する。
【００４１】
更に、ユーザ端末２００を主体として説明すれば、ユーザが表示部２３０に表示された切り替え部分、即ち、広告キーワードや広告イメージなどをタッチまたはクリックすると、ユーザ端末２００は表示制御情報の制御を通じて詳細の広告情報をボックス形態で表示するか、ポップアップなどを通じて別のウェブページで表示部２３０に表示し得る。
【００４２】
通信部１３０はコンテンツ情報及び表示制御情報をユーザ端末２００に送信する。
【００４３】
コンテンツ情報及び表示制御情報は、ＨＴＭＬファイル内の情報として記録され送信され得る。
【００４４】
図２は、本発明の一実施例によってユーザ端末の表示部に広告が表示される実際の形態を示した図である。
【００４５】
図２を参照すれば、表示部２３０は、上部領域Ｔと下部領域Ｄとに両分される。
【００４６】
下部領域Ｄの特定の単語Ｏ（図２の（ａ)）が広告キーワードＳに切り替えられて表示される（図２の（ｂ)）。ユーザ端末は、この部分へのクリックまたはタッチを感知して、詳細の広告情報が提供されるリンクに接続し得る。
【００４７】
図３は、本発明の一実施例によってユーザ端末１００の表示部２３０に広告が表示される実際の形態を示した図である。
【００４８】
切り替え部分Ｓは、ユーザのスクロール動作によって表示部２３０上で上端に移動して表示される（図３の（ａ)，図３の（ｂ)）。切り替え部分Ｓは、上部領域Ｔに移動されると、切り替え前のコンテンツ情報である特定の単語Ｏに戻される（図３の（ｃ)）。このとき、下部領域Ｄの他の単語は広告キーワードＳに切り替えられる（図３の（ｃ)）。
【００４９】
切り替え部分が切り替え前のコンテンツ情報に戻されるとき、ユーザ端末１００は戻し過程を多様なアニメーション効果で表示し得る。即ち、ユーザ端末１００は、下部領域Ｄから上部領域Ｔへと移る瞬間、フリップ（ｆｌｉｐ）されて表示が変わる効果、切り替え部分が徐々にフェードアウト（ｆａｄｅ ｏｕｔ）される効果などを表示し得る。勿論、かかる効果は表示制御情報として事前にコンテンツ提供サーバ１００によって生成され得る。
【００５０】
図４は、本発明の一実施例によってユーザ端末の表示部に広告が表示される実際の形態を示した図である。
【００５１】
図４の（ａ)では、下部領域のイメージの一部が共益広告Ｓに切り替えられた。図４の（ａ)では、全体イメージの一部のみを切り替えたが、これに制限されず、全体イメージを１つの広告イメージに切り替えてもよく、複数の広告イメージに切り替えてもよい。
【００５２】
図４の（ｂ)では、切り替え部分が上部領域に移動されるため、元のコンテンツ情報に含まれたイメージＯに戻される。イメージの場合、一部のみが上部領域に移動しても、切り替え前のイメージＯに戻すのが好ましい。ユーザの便宜を図るためには、上部領域を下部領域よりも更に広く設定してもよい（例えば、画面の３／４以上を上部領域として設定する）。
【００５３】
図５は、本発明の一実施例による広告が表示されるコンテンツ提供方法を示した流れ図である。
【００５４】
ステップＳ２１０において、コンテンツ提供サーバ１００はコンテンツ情報を生成する。
【００５５】
ステップＳ２２０において、コンテンツ提供サーバ１００はコンテンツ情報を用いて表示制御情報を生成する。表示制御情報の内容は図１を通じて説明した通りである。
【００５６】
ステップＳ２３０において、コンテンツ提供サーバ１００はコンテンツ情報及び表示制御情報をユーザ端末に送信する。
【００５７】
コンテンツ提供サーバ１００は、コンテンツ情報をユーザ端末１００に提供するとともに、ユーザ端末１００の表示部２３０に広告情報を上述の方式で表示することにより、ユーザ端末１００に表示されるコンテンツ内に広告を表示し得る。
【００５８】
図６は、本発明の一実施例によるユーザ端末２００を示した図である。
【００５９】
本発明の一実施例によるユーザ端末２００は、通信部２１０、制御部２２０及び表示部２３０を含む。
【００６０】
通信部２１０は、広告サーバ３００から広告情報を受信する。
【００６１】
制御部２２０は、コンテンツ情報を表示部２３０に表示し、コンテンツ情報の一部を広告情報に切り替えて表示部２３０の一部に表示する。
【００６２】
コンテンツ情報は、コンテンツ提供サーバ１００から受信してもよく、ユーザ端末が生成または保有しているものであってもよい。
【００６３】
制御部２２０は、切り替え部分が表示部２３０の他の一部に移動して表示される場合、切り替え部分を切り替え前のコンテンツ情報に戻して表示する。
【００６４】
制御部２２０は、切り替え部分へのクリックまたはタッチ信号を感知し、切り替え部分に相応する詳細の広告情報を前記表示部２３０に表示する。
【００６５】
制御部２２０がコンテンツ情報、広告情報及び詳細の広告情報を表示部２３０に表示する詳細な方式は、図１を通じて説明した通りである。
【００６６】
表示部２３０は、コンテンツ情報、広告情報及び詳細の広告情報をユーザに視覚的に表示する。
【００６７】
ユーザ端末２００は、上述の構成要素を用いて後述の広告表示方法を使用し得る。
【００６８】
図７は、本発明の一実施例によるコンテンツ内の広告表示方法を示した流れ図である。
【００６９】
ステップＳ２１０において、ユーザ端末２００は、コンテンツ提供サーバ１００からコンテンツ情報を受信する。但し、コンテンツ情報は、ユーザ端末２００が既に保有または生成しているものであり得るという点は既に説明した通りである。
【００７０】
ステップＳ２２０において、ユーザ端末２００は広告サーバ３００から広告情報を受信する。ステップＳ２１０及びステップＳ２２０はその順序が互いに変わってもよい。
【００７１】
ステップＳ２３０において、ユーザ端末２００は、コンテンツ情報を表示部２３０に表示し、コンテンツ情報の一部を広告情報に切り替えて表示部の一部に表示する。
【００７２】
ステップＳ２４０において、ユーザ端末２００はスクロール動作を認識する。ユーザは、表示部２３０に表示し得る領域よりも縦に長く形成されたウェブページなどを見るために、画面を下向きにスクロール動作する。スクロール動作が認識されると、ステップＳ２５０に進行し、スクロール動作が認識されないと、ステップＳ２４２に進行する。
【００７３】
ステップＳ２４２において、ユーザ端末２００は、切り替え部分へのクリック（パソコンの場合）またはタッチ（パソコンまたはモバイル端末の場合）があるか否かを感知する。感知される場合、ステップＳ２５２に進行し、感知されない場合、ステップＳ２４０に戻される。
【００７４】
ステップＳ２５２において、ユーザ端末２００は、ユーザがクリックした切り替え部分に相応する詳細の広告情報を表示する。
【００７５】
ステップＳ２５０において、ユーザ端末２００は、切り替え部分がユーザのスクロール動作によって表示部２３０上の既設定された領域に移動されたか否かを判断する。移動されたら、ステップＳ２６０に進行し、移動されなかったら、ステップＳ２４０に戻される。ユーザの表示部２３０は上部領域と下部領域とに両分され得、上部領域を基準領域として設定することが好ましい。
【００７６】
ステップＳ２６０において、ユーザ端末２００は、切り替え部分を切り替え前のコンテンツ情報に戻して表示部２３０に表示する。
【００７７】
上述のコンテンツ内の広告表示方法は、パソコンやモバイル端末のような電子装置にて読み取り可能な記録媒体にプログラムとして記録され得る。かかるプログラムは、例えば、モバイル端末の場合、モバイル用で作成されたＨＴＭＬやアプリケーション（Ａｐｐｌｉｃａｔｉｏｎ）の形態であってもよい。コンテンツ提供サーバは、コンテンツ内の広告表示方法を行えるＨＴＭＬを生成してユーザ端末に提供するか、またはコンテンツ内の広告表示方法を行えるプログラムを生成し、アプリ販売者を通じてユーザ端末に提供し得る。
【００７８】
コンテンツ内の広告表示方法は、コンテンツ情報と一緒に広告情報を提供されるのは勿論のこと、既存に保有しているコンテンツにも広告を表示し得る。また、コンテンツ内の広告表示方法は、好みの広告種類や形態などをユーザが選択し得るモジュールを追加に提供して、ユーザのニーズに合わせた広告を提供し得る。
【００７９】
本出願で使用した用語は、単に特定の実施例を説明するために使われたものであり、本発明を限定するものではない。本出願で、“含む”または“有する”などの用語は、明細書上に記載された特徴、数字、ステップ、動作、構成要素、部品またはこれらを組み合わせたものが存在することを指定するためのものであり、一つまたはその以上の他の特徴や数字、ステップ、動作、構成要素、部品またはこれらを組み合わせたものの存在または付加可能性を予め排除しないと理解されなければならない。
【図１】
0006400233.tif 000002
【図２】
0006400233.tif 000003
【図３】
0006400233.tif 000004
【図４】
0006400233.tif 000005
【図５】
0006400233.tif 000006
【図６】
0006400233.tif 000007
【図７】
0006400233.tif 000008